(57)【要約】【課題】半導体レーザを並列して備えた光信号中継器において半導体レーザの部分故障時に発生する増幅率の悪化を改善する。【解決手段】カプラ2に並列して接続された半導体レーザLD1,LD2の故障を検出し、何れの故障も検出されなければ半導体レーザLD1,LD2を同時に駆動した状態でカプラ2から出力されるレーザの強度に合わせて最適化された第一のファイバー型光アンプEDFA9-1を光通信経路P1に挿入し、何れかの半導体レーザの故障が検出された状況下では一方の半導体レーザのみを駆動した状態でカプラ2から出力されるレーザの強度に合わせて最適化された第二のファイバー型光アンプEDFA9-2を光通信経路P1に挿入し、双方の半導体レーザの故障が検出された状況下では通信経路P1を形成する光ファイバーと同等の性能を有するメインスルーファイバー9-3を光通信経路P1に挿入する。【選択図】図１
2014160908.tif 000002
【特許請求の範囲】
【請求項１】
光通信経路に挿入される光信号中継器であって、
並列して配備された励起用半導体レーザと、
前記励起用半導体レーザから出力されるレーザ光を合流させるカプラと、
前記励起用半導体レーザを同時に駆動した状態で前記カプラから出力されるレーザ光の強度に合わせて励起パワーを最適化された第一のファイバー型光アンプと、
前記励起用半導体レーザの内の一方のみを駆動した状態で前記カプラから出力されるレーザ光の強度に合わせて励起パワーを最適化された第二のファイバー型光アンプと、
前記光通信経路を形成する光ファイバーと同等の性能を有するメインスルーファイバーと、
前記励起用半導体レーザの故障を個別に検出する検出器と、
前記検出器により何れの励起用半導体レーザの故障も検出されない状況下では前記第一のファイバー型光アンプを前記光通信経路に挿入する一方、前記検出器により何れか一方の励起用半導体レーザの故障が検出された状況下では前記第二のファイバー型光アンプを前記光通信経路に挿入し、また、前記検出器により双方の励起用半導体レーザの故障が検出された状況下では前記メインスルーファイバーを前記光通信経路に挿入する光スイッチ群とを備えたことを特徴とした光信号中継器。
【請求項２】
前記第一のファイバー型光アンプおよび第二のファイバー型光アンプが共に独立したファイバー型光アンプによって構成され、
前記光スイッチ群は、前記検出器によって検出される励起用半導体レーザの故障状況に応じ、前記第一のファイバー型光アンプ，第二のファイバー型光アンプ，メインスルーファイバーの内の何れかを選択的に前記光通信経路に挿入することを特徴とした請求項１記載の光信号中継器。
【請求項３】
前記励起用半導体レーザの内の一方のみを駆動した状態で前記カプラから出力されるレーザ光の強度に合わせて励起パワーを最適化された２つのファイバー型光アンプを縦列して備えると共に、
前記光スイッチ群は、
１つの入力ポートおよび第一，第二の２つの出力ポートを有し、前記２つのファイバー型光アンプの内で上流側に位置するファイバー型光アンプの出力側に入力ポートを接続されて、前記第一の出力ポートを前記２つのファイバー型光アンプの内で下流側に位置するファイバー型光アンプの入力側に接続されると共に、前記第二の出力ポートを、前記光通信経路を形成する光ファイバーと同等の性能を有して前記下流側に位置するファイバー型光アンプをバイパスするサブスルーファイバーの一端に接続された第一の光分岐スイッチと、
１つの入力ポートおよび第一，第二の２つの出力ポートを有し、前記光通信経路の上流側に入力ポートを接続されて、前記第一の出力ポートを前記上流側に位置するファイバー型光アンプの入力側に接続されると共に、前記第二の出力ポートを前記メインスルーファイバーの一端に接続された第ニの光分岐スイッチと、
前記下流側に位置するファイバー型光アンプの出力側，前記サブスルーファイバーの他端，前記メインスルーファイバーの他端の内の何れかを選択的に前記光通信経路の下流側に接続する光スイッチとによって構成され、
前記検出器により何れの励起用半導体レーザの故障も検出されない状況下では前記第一，第ニの光分岐スイッチにおける第一の出力ポートを開き第ニの出力ポートを閉じて前記光スイッチにより前記下流側に位置するファイバー型光アンプの出力側を前記光通信経路の下流側に接続して前記縦列された２つのファイバー型光アンプを前記第一のファイバー型光アンプとして機能させる一方、前記検出器により何れか一方の励起用半導体レーザの故障が検出された状況下では前記第一の光分岐スイッチにおける第一の出力ポートを閉じ第ニの出力ポートを開くと共に前記第二の光分岐スイッチにおける第一の出力ポートを開き第ニの出力ポートを閉じて前記光スイッチにより前記サブスルーファイバーの他端を前記光通信経路の下流側に接続して前記上流側に位置するファイバー型光アンプを前記第二のファイバー型光アンプとして機能させ、また、前記検出器により双方の励起用半導体レーザの故障が検出された状況下では前記第ニの光分岐スイッチにおける第一の出力ポートを閉じ第ニの出力ポートを開いて前記光スイッチにより前記メインスルーファイバーの他端を前記光通信経路の下流側に接続して前記メインスルーファイバーを前記光通信経路に挿入することを特徴とした請求項１記載の光信号中継器。
【請求項４】
前記ファイバー型光アンプが希土類ドープ・ファイバー増幅器によって構成されていることを特徴とする請求項１，請求項２または請求項３の内いずれか一項に記載の光信号中継器。
【請求項５】
レーザ光を合流させるカプラに並列して接続された励起用半導体レーザの故障を個別に検出し、
何れの励起用半導体レーザの故障も検出されない状況下では、レーザ光を合流させるカプラに並列して接続された励起用半導体レーザを同時に駆動した状態で前記カプラから出力されるレーザ光の強度に合わせて励起パワーを最適化された第一のファイバー型光アンプを光通信経路に挿入する一方、
何れか一方の励起用半導体レーザの故障が検出された状況下では、前記励起用半導体レーザの内の一方のみを駆動した状態で前記カプラから出力されるレーザ光の強度に合わせて励起パワーを最適化された第二のファイバー型光アンプを前記光通信経路に挿入し、
また、双方の励起用半導体レーザの故障が検出された状況下では、前記光通信経路を形成する光ファイバーと同等の性能を有するメインスルーファイバーを前記光通信経路に挿入することを特徴とした光信号中継方法。
【請求項６】
前記励起用半導体レーザの故障状況に応じ、独立したファイバー型光アンプによって構成される前記第一，第二のファイバー型光アンプおよび前記メインスルーファイバーの内の何れかを選択的に前記光通信経路に挿入することを特徴とした請求項５記載の光信号中継方法。
【請求項７】
何れの励起用半導体レーザの故障も検出されない状況下では、前記励起用半導体レーザの内の一方のみを駆動した状態で前記カプラから出力されるレーザ光の強度に合わせて励起パワーを最適化された２つのファイバー型光アンプを光学的に縦列接続して前記光通信経路に前記第一のファイバー型光アンプとして挿入する一方、
何れか一方の励起用半導体レーザの故障が検出された状況下では、前記励起用半導体レーザの内の一方のみを駆動した状態で前記カプラから出力されるレーザ光の強度に合わせて励起パワーを最適化された前記２つのファイバー型光アンプの内の一方を前記第二のファイバー型光アンプとして前記光通信経路に挿入し、
また、双方の励起用半導体レーザの故障が検出された状況下では、前記メインスルーファイバーを前記光通信経路に挿入することを特徴とした請求項５記載の光信号中継方法。
【請求項８】
前記ファイバー型光アンプが希土類ドープ・ファイバー増幅器によって構成されていることを特徴とする請求項５，請求項６または請求項７の内いずれか一項に記載の光信号中継方法。
【発明の詳細な説明】
【技術分野】
【０００１】
本発明は、光信号中継器および光信号中継方法の改良に関する。
【背景技術】
【０００２】
光信号中継器は、海底ケーブル等によって構成される光通信経路上に設置され、光通信経路を伝播して減衰した光信号を光アンプにより増幅して再送出する機能を有する。
【０００３】
図３は光信号中継器の一例である。図３の例では２つの光通信経路Ｐ１，Ｐ２を伝播する光信号の夫々を希土類ドープ・ファイバー増幅器等からなるファイバー型光アンプＥＤＦＡ１，ＥＤＦＡ２によって増幅する構成となっている。
ファイバー型光アンプＥＤＦＡ１，ＥＤＦＡ２を励起する光源としてはダイオード制御回路１により駆動制御される励起用半導体レーザＬＤ１，ＬＤ２の２つが並列して備えられ、励起用半導体レーザＬＤ１，ＬＤ２から出力されるレーザ光を３ｄＢカプラ等からなるカプラ２で合流させた後で2つの経路に分岐させ、分岐されたレーザ光の各々によってファイバー型光アンプＥＤＦＡ１，ＥＤＦＡ２が個別に励起されるようになっている。
なお、アイソレータ３，４は偏光無依存型光アイソレータ、また、フィルタ５，６は帯域選択用のフィルタである。
このような構成とすれば、励起用半導体レーザＬＤ１が故障した際に励起用半導体レーザＬＤ２でファイバー型光アンプＥＤＦＡ１およびファイバー型光アンプＥＤＦＡ２の双方を励起することができ、また、励起用半導体レーザＬＤ２が故障した際には励起用半導体レーザＬＤ１でファイバー型光アンプＥＤＦＡ１およびファイバー型光アンプＥＤＦＡ２の双方を励起することができるので、いずれか一方の励起用半導体レーザが故障した場合であっても光通信経路Ｐ１，Ｐ２上で完全に光信号が失われて通信が断たれることを防止することができる。
しかし、一方の励起用半導体レーザが故障すると、ファイバー型光アンプＥＤＦＡ１，ＥＤＦＡ２の各々は、それらの設計時に想定されていた励起パワー、すなわち、双方の励起用半導体レーザＬＤ１，ＬＤ２を共に駆動した場合の半分の励起パワーでしか励起されない状態となるため、最適の励起状態からずれた状況で使用されることになり、光信号の増幅効率が悪くなるといった不都合がある。
【０００４】
また、このような技術とは別に、並列して備えられた励起用半導体レーザの内の一方を現用の励起用半導体レーザとして使用すると共に他方の励起用半導体レーザを予備の励起用半導体レーザとして温存し、現用の励起用半導体レーザの故障が検出された時点で予備の励起用半導体レーザを現用の励起用半導体レーザとして使用するようにした光信号中継器が特許文献１等に開示されている。
特許文献１に開示される光信号中継器は、更に、現用の励起用半導体レーザとして使用されている予備の励起用半導体レーザが故障した段階で光スイッチの切り替え操作を自動的に実施し、ファイバー型光アンプをバイパスして光通信経路に光信号を伝播することによって、光信号を増幅する機能を失ったファイバー型光アンプが光信号を減衰させるのを防止するようにしている。
しかし、特許文献１に開示される光信号中継器は、並列して配備された励起用半導体レーザを同時に駆動してファイバー型光アンプを励起することを前提としたものではなく、並列して備えられた励起用半導体レーザの何れか１つをパートタイムで使用してファイバー型光アンプを励起する構成であるため、大出力の光信号中継器には適さないといった不都合がある。
なお、光ファイバーを機械的に移動させたり電気工学結晶基板上に形成された導波路や電極を利用して光路を切り替える光スイッチや光分岐スイッチの構成、および、励起用半導体レーザの駆動電流をサンプリングして個々の励起用半導体レーザの故障を検知する検出回路および監視回路等については、特許文献１等に見られるように、既に一般的な技術となっている。
【先行技術文献】
【特許文献】
【０００５】
【特許文献１】特開平７−２６４１２６号公報（段落００２２〜００２３，図１，段落００１８，段落００２２，段落０００２）
【発明の概要】
【発明が解決しようとする課題】
【０００６】
本発明の目的は、並列して配備された励起用半導体レーザを同時に駆動してファイバー型光アンプを励起することを前提とした光信号中継器において、何れかの励起用半導体レーザが故障した場合、更には、双方の励起用半導体レーザが故障した場合であっても支障なく光通信経路中で光信号を伝播することのできる光信号中継器および光信号中継方法を提供することにある。
【課題を解決するための手段】
【０００７】
本発明の光信号中継器は、光通信経路に挿入される光信号中継器であり、前記目的を達成するため、
並列して配備された励起用半導体レーザと、
前記励起用半導体レーザから出力されるレーザ光を合流させるカプラと、
前記励起用半導体レーザを同時に駆動した状態で前記カプラから出力されるレーザ光の強度に合わせて励起パワーを最適化された第一のファイバー型光アンプと、
前記励起用半導体レーザの内の一方のみを駆動した状態で前記カプラから出力されるレーザ光の強度に合わせて励起パワーを最適化された第二のファイバー型光アンプと、
前記光通信経路を形成する光ファイバーと同等の性能を有するメインスルーファイバーと、
前記励起用半導体レーザの故障を個別に検出する検出器と、
前記検出器により何れの励起用半導体レーザの故障も検出されない状況下では前記第一のファイバー型光アンプを前記光通信経路に挿入する一方、前記検出器により何れか一方の励起用半導体レーザの故障が検出された状況下では前記第二のファイバー型光アンプを前記光通信経路に挿入し、また、前記検出器により双方の励起用半導体レーザの故障が検出された状況下では前記メインスルーファイバーを前記光通信経路に挿入する光スイッチ群とを備えたことを特徴とした構成を有する。
【０００８】
また、本発明の光信号中継方法は、前記と同様の目的を達成するため、
レーザ光を合流させるカプラに並列して接続された励起用半導体レーザの故障を個別に検出し、
何れの励起用半導体レーザの故障も検出されない状況下では、レーザ光を合流させるカプラに並列して接続された励起用半導体レーザを同時に駆動した状態で前記カプラから出力されるレーザ光の強度に合わせて励起パワーを最適化された第一のファイバー型光アンプを光通信経路に挿入する一方、
何れか一方の励起用半導体レーザの故障が検出された状況下では、前記励起用半導体レーザの内の一方のみを駆動した状態で前記カプラから出力されるレーザ光の強度に合わせて励起パワーを最適化された第二のファイバー型光アンプを前記光通信経路に挿入し、
また、双方の励起用半導体レーザの故障が検出された状況下では、前記光通信経路を形成する光ファイバーと同等の性能を有するメインスルーファイバーを前記光通信経路に挿入することを特徴とした構成を有する。
【発明の効果】
【０００９】
本発明の光信号中継器および光信号中継方法は、レーザ光を合流させるカプラに並列して接続された励起用半導体レーザの故障を個別に検出し、何れの励起用半導体レーザの故障も検出されない状況下では、レーザ光を合流させるカプラに並列して接続された励起用半導体レーザを同時に駆動した状態でカプラから出力されるレーザ光の強度に合わせて励起パワーを最適化された第一のファイバー型光アンプを光通信経路に挿入する一方、何れか一方の励起用半導体レーザの故障が検出された状況下では、励起用半導体レーザの内の一方のみを駆動した状態でカプラから出力されるレーザ光の強度に合わせて励起パワーを最適化された第二のファイバー型光アンプを光通信経路に挿入し、また、双方の励起用半導体レーザの故障が検出された状況下では、光通信経路を形成する光ファイバーと同等の性能を有するメインスルーファイバーを光通信経路に挿入するようにしたので、レーザ光を合流させるカプラに並列して接続された励起用半導体レーザの双方が正常に機能している間は、これらの励起用半導体レーザを同時に駆動した状態でカプラから出力されるレーザ光の強度に合わせて励起パワーを最適化された第一のファイバー型光アンプによって光信号を高い効率で増幅することができる。
また、少なくとも何れか１つの励起用半導体レーザが機能していれば、カプラから出力されるレーザ光の強度に応じた第二のファイバー型光アンプによって光通信経路を伝播する光信号を効率よく増幅することができ、更に、何れの励起用半導体レーザも機能していない状況下にあっては、第一，第二のファイバー型光アンプをバイパスして光通信経路に光信号を伝播することにより、励起用半導体レーザの故障のために光信号を増幅する機能を失った第一，第二のファイバー型光アンプが光信号を減衰させるのを防止し、下流側の光信号中継器に其のまま光信号を引き渡すことができる。
【図面の簡単な説明】
【００１０】
【図１】本発明を適用した一実施形態の光信号中継器の構成について示したブロック図である。
【図２】本発明を適用した他の一実施形態の光信号中継器の構成について示したブロック図である。
【図３】光信号中継器の一例について示したブロック図である。
【発明を実施するための形態】
【００１１】
次に、本発明を実施するための幾つかの実施形態について図面を参照して具体的に説明する。
【００１２】
図１は本発明を適用した一実施形態の光信号中継器７の構成について示したブロック図である。
【００１３】
この光信号中継器７は、光通信経路Ｐ１，Ｐ２に挿入される光信号中継器であり、並列して配備された励起用半導体レーザＬＤ１，ＬＤ２と、同等の出力を有する励起用半導体レーザＬＤ１，ＬＤ２から出力されるレーザ光を合流させる３ｄＢカプラ等からなるカプラ２と、励起用半導体レーザＬＤ１，ＬＤ２を駆動制御するダイオード制御回路１と、励起用半導体レーザＬＤ１，ＬＤ２の駆動電流を監視すること等によって励起用半導体レーザＬＤ１，ＬＤ２の故障を個別に検出する故障検出回路（検出器）８を備える。
【００１４】
また、光信号中継器７は、一方の光通信経路Ｐ１に沿って、励起用半導体レーザＬＤ１，ＬＤ２を同時に駆動した状態でカプラ２から分岐して出力されるレーザ光の強度に合わせて励起パワーを最適化された第一のファイバー型光アンプＥＤＦＡ９−１と、励起用半導体レーザＬＤ１，ＬＤ２の内の一方のみを駆動した状態でカプラ２から分岐して出力されるレーザ光の強度に合わせて励起パワーを最適化された第二のファイバー型光アンプＥＤＦＡ９−２と、光信号の伝播特性に関して光通信経路Ｐ１を形成する光ファイバーと同等の性能を有するメインスルーファイバー９−３を備える。
第一のファイバー型光アンプＥＤＦＡ９−１と第二のファイバー型光アンプＥＤＦＡ９−２の各々は夫々に独立したファイバー型光アンプによって構成されている。
【００１５】
光信号中継器７は、更に、他方の光通信経路Ｐ２に沿って、励起用半導体レーザＬＤ１，ＬＤ２を同時に駆動した状態でカプラ２から分岐して出力されるレーザ光の強度に合わせて励起パワーを最適化された第一のファイバー型光アンプＥＤＦＡ１０−１と、励起用半導体レーザＬＤ１，ＬＤ２の内の一方のみを駆動した状態でカプラ２から分岐して出力されるレーザ光の強度に合わせて励起パワーを最適化された第二のファイバー型光アンプＥＤＦＡ１０−２と、光信号の伝播特性に関して光通信経路Ｐ２を形成する光ファイバーと同等の性能を有するメインスルーファイバー１０−３を備える。
第一のファイバー型光アンプＥＤＦＡ１０−１と第二のファイバー型光アンプＥＤＦＡ１０−２の各々は夫々に独立したファイバー型光アンプによって構成されている。
【００１６】
なお、光通信経路Ｐ１．Ｐ２上のアイソレータ３，４は偏光無依存型光アイソレータ、また、フィルタ５，６は帯域選択用のフィルタであり、この実施形態における第一のファイバー型光アンプＥＤＦＡ９−１，ＥＤＦＡ１０−１および第二のファイバー型光アンプＥＤＦＡ９−２，ＥＤＦＡ１０−２は何れも希土類ドープ・ファイバー増幅器、例えば、erbium-doped optical fiber amplifierである。
【００１７】
光信号中継器７の光スイッチ群は、光信号中継器７の介装位置を基準として上流側に位置する光通信経路Ｐ１の下流側端部に第一のファイバー型光アンプＥＤＦＡ９−１の入力側，第二のファイバー型光アンプＥＤＦＡ９−２の入力側，メインスルーファイバー９−３の一端の内の何れかを選択的に接続するための第一の光スイッチ１１ａと、光信号中継器７の介装位置を基準として下流側に位置する光通信経路Ｐ１の上流側端部に第一のファイバー型光アンプＥＤＦＡ９−１の出力側，第二のファイバー型光アンプＥＤＦＡ９−２の出力側，メインスルーファイバー９−３の他端の内の何れかを選択的に接続するための第二の光スイッチ１１ｂ、並びに、光信号中継器７の介装位置を基準として上流側に位置する光通信経路Ｐ２の下流側端部に第一のファイバー型光アンプＥＤＦＡ１０−１の入力側，第二のファイバー型光アンプＥＤＦＡ１０−２の入力側，メインスルーファイバー１０−３の一端の内の何れかを選択的に接続するための第一の光スイッチ１２ａと、光信号中継器７の介装位置を基準として下流側に位置する光通信経路Ｐ２の上流側端部に第一のファイバー型光アンプＥＤＦＡ１０−１の出力側，第二のファイバー型光アンプＥＤＦＡ１０−２の出力側，メインスルーファイバー１０−３の他端の内の何れかを選択的に接続するための第二の光スイッチ１２ｂによって構成される。
【００１８】
このうち、第一のファイバー型光アンプＥＤＦＡ９−１，第二のファイバー型光アンプＥＤＦＡ９−２，メインスルーファイバー９−３の内の何れかを選択的に光通信経路Ｐ１に挿入するための光スイッチ群は第一，第二の光スイッチ１１ａ，１１ｂによって構成され、また、第一のファイバー型光アンプＥＤＦＡ１０−１，第二のファイバー型光アンプＥＤＦＡ１０−２，メインスルーファイバー１０−３の内の何れかを選択的に光通信経路Ｐ２に挿入するための光スイッチ群は第一，第二の光スイッチ１２ａ，１２ｂによって構成されている。
【００１９】
この実施形態における光信号中継器７は、並列して配備された励起用半導体レーザＬＤ１，ＬＤ２を同時に駆動して第一のファイバー型光アンプＥＤＦＡ９−１，ＥＤＦＡ９−２を励起することにより、光通信経路Ｐ１，Ｐ２を伝播する光信号の各々を増幅することを前提としたものである。
【００２０】
そして、故障検出回路８が励起用半導体レーザＬＤ１，ＬＤ２の何れの故障も検出しない状況下では、故障検出回路８から出力される正常動作信号を受けた図示しないスイッチング回路が第一，第二の光スイッチ１１ａ，１１ｂを作動させ、第一の光スイッチ１１ａによって光信号中継器７の介装位置を基準として上流側に位置する光通信経路Ｐ１の下流側端部に第一のファイバー型光アンプＥＤＦＡ９−１の入力側を接続すると共に第二の光スイッチ１１ｂによって光信号中継器７の介装位置を基準として下流側に位置する光通信経路Ｐ１の上流側端部に第一のファイバー型光アンプＥＤＦＡ９−１の出力側を接続することにより、光通信経路Ｐ１に、励起用半導体レーザＬＤ１，ＬＤ２を同時に駆動した状態でカプラ２から分岐して出力されるレーザ光の強度に合わせて励起パワーを最適化された第一のファイバー型光アンプＥＤＦＡ９−１のみを挿入し、かつ、第一の光スイッチ１２ａによって光信号中継器７の介装位置を基準として上流側に位置する光通信経路Ｐ２の下流側端部に第一のファイバー型光アンプＥＤＦＡ１０−１の入力側を接続すると共に第二の光スイッチ１２ｂによって光信号中継器７の介装位置を基準として下流側に位置する光通信経路Ｐ２の上流側端部に第一のファイバー型光アンプＥＤＦＡ１０−１の出力側を接続することにより、光通信経路Ｐ２に、励起用半導体レーザＬＤ１，ＬＤ２を同時に駆動した状態でカプラ２から分岐して出力されるレーザ光の強度に合わせて励起パワーを最適化された第一のファイバー型光アンプＥＤＦＡ１０−１のみを挿入する。
【００２１】
従って、励起用半導体レーザＬＤ１，ＬＤ２の何れの故障も検出されない状況下では、光通信経路Ｐ１，Ｐ２を伝播する光信号を、励起用半導体レーザＬＤ１，ＬＤ２を同時に駆動した状態でカプラ２から分岐して出力されるレーザ光の強度に合わせて励起パワーを最適化された第一のファイバー型光アンプＥＤＦＡ９−１，ＥＤＦＡ１０−１の各々によって高い効率で増幅することができる。
【００２２】
故障検出回路８からの信号を受けて第一，第二の光スイッチ１１ａ，１１ｂを作動させるスイッチング回路は、ゲート回路や論理回路あるいはマイクロプロセッサやパワートランジスタ等を利用して容易に設計製作することが可能である。
【００２３】
また、故障検出回路８が、同等の出力を有する励起用半導体レーザＬＤ１，ＬＤ２の何れか一方の故障を検出した状況下では、故障検出回路８から出力される部分故障信号を受けた図示しないスイッチング回路が第一，第二の光スイッチ１１ａ，１１ｂを作動させ、第一の光スイッチ１１ａによって光信号中継器７の介装位置を基準として上流側に位置する光通信経路Ｐ１の下流側端部に第二のファイバー型光アンプＥＤＦＡ９−２の入力側を接続すると共に第二の光スイッチ１１ｂによって光信号中継器７の介装位置を基準として下流側に位置する光通信経路Ｐ１の上流側端部に第二のファイバー型光アンプＥＤＦＡ９−２の出力側を接続することにより、光通信経路Ｐ１に、励起用半導体レーザＬＤ１，ＬＤ２の内の一方のみを駆動した状態でカプラ２から分岐して出力されるレーザ光の強度に合わせて励起パワーを最適化された第ニのファイバー型光アンプＥＤＦＡ９−２のみを挿入し、かつ、第一の光スイッチ１２ａによって光信号中継器７の介装位置を基準として上流側に位置する光通信経路Ｐ２の下流側端部に第二のファイバー型光アンプＥＤＦＡ１０−２の入力側を接続すると共に第二の光スイッチ１２ｂによって光信号中継器７の介装位置を基準として下流側に位置する光通信経路Ｐ２の上流側端部に第二のファイバー型光アンプＥＤＦＡ１０−２の出力側を接続することにより、光通信経路Ｐ２に、励起用半導体レーザＬＤ１，ＬＤ２の内の一方のみを駆動した状態でカプラ２から分岐して出力されるレーザ光の強度に合わせて励起パワーを最適化された第ニのファイバー型光アンプＥＤＦＡ１０−２のみを挿入する。
【００２４】
従って、励起用半導体レーザＬＤ１，ＬＤ２の何れか一方の故障のみが検出された状況下では、光通信経路Ｐ１，Ｐ２を伝播する光信号を、励起用半導体レーザＬＤ１，ＬＤ２の内の一方のみを駆動した状態でカプラ２から分岐して出力されるレーザ光の強度に合わせて励起パワーを最適化された第ニのファイバー型光アンプＥＤＦＡ９−２，ＥＤＦＡ１０−２の各々によって効率よく増幅することができる。
【００２５】
また、故障検出回路８が、同等の出力を有する励起用半導体レーザＬＤ１，ＬＤ２の双方の故障を検出した状況下では、故障検出回路８から出力される完全故障信号を受けた図示しないスイッチング回路が第一，第二の光スイッチ１１ａ，１１ｂを作動させ、第一の光スイッチ１１ａによって光信号中継器７の介装位置を基準として上流側に位置する光通信経路Ｐ１の下流側端部にメインスルーファイバー９−３の一端を接続すると共に第二の光スイッチ１１ｂによって光信号中継器７の介装位置を基準として下流側に位置する光通信経路Ｐ１の上流側端部にメインスルーファイバー９−３の他端を接続することにより、光通信経路Ｐ１に、光信号の伝播特性に関して光通信経路Ｐ１を形成する光ファイバーと同等の性能を有するメインスルーファイバー９−３のみを挿入し、かつ、第一の光スイッチ１２ａによって光信号中継器７の介装位置を基準として上流側に位置する光通信経路Ｐ２の下流側端部にメインスルーファイバー１０−３の一端を接続すると共に第二の光スイッチ１２ｂによって光信号中継器７の介装位置を基準として下流側に位置する光通信経路Ｐ２の上流側端部にメインスルーファイバー１０−３の他端を接続することにより、光通信経路Ｐ２に、光信号の伝播特性に関して光通信経路Ｐ２を形成する光ファイバーと同等の性能を有するメインスルーファイバー１０−３のみを挿入する。
【００２６】
従って、励起用半導体レーザＬＤ１，ＬＤ２の双方の故障が検出された状況下では、励起用半導体レーザＬＤ１，ＬＤ２の故障のために光信号を増幅する機能を失った全てのファイバー型光アンプＥＤＦＡ９−１，ＥＤＦＡ９−２，ＥＤＦＡ１０−１，ＥＤＦＡ１０−２をバイパスし、光通信経路Ｐ１，Ｐ２を形成する光ファイバーと同等の性能すなわち光信号の減衰や損失を発生させ難い性能を有するメインスルーファイバー９ー３，１０−３を介して光通信経路Ｐ１，Ｐ２の下流側に光信号を伝播することができる。
よって、光信号を増幅する機能を失ったファイバー型光アンプＥＤＦＡ９−１，ＥＤＦＡ９−２，ＥＤＦＡ１０−１，ＥＤＦＡ１０−２が光通信経路Ｐ１，Ｐ２を伝播する光信号を減衰させることはなく、この光信号中継器７よりも下流側の他の光信号中継器に其のまま光信号を引き渡すことが可能となる。
【００２７】
次に、本発明を実施するための他の一実施形態について図２のブロック図を参照して説明する。
【００２８】
この実施形態の光信号中継器１３は、前述した光信号中継器７と同様、光通信経路Ｐ１，Ｐ２に挿入される光信号中継器であり、並列して配備された励起用半導体レーザＬＤ１，ＬＤ２と、同等の出力を有する励起用半導体レーザＬＤ１，ＬＤ２から出力されるレーザ光を合流させる３ｄＢカプラ等からなるカプラ２と、励起用半導体レーザＬＤ１，ＬＤ２を駆動制御するダイオード制御回路１と、励起用半導体レーザＬＤ１，ＬＤ２の故障を個別に検出する検出器として機能する故障検出回路８を備える。
【００２９】
また、光信号中継器１３は、一方の光通信経路Ｐ１に沿って、同等の出力を有する励起用半導体レーザＬＤ１，ＬＤ２の内の一方のみを駆動した状態でカプラ２から分岐して出力されるレーザ光の強度に合わせて励起パワーを最適化されたファイバー型光アンプＥＤＦＡ１１ａと半導体レーザＬＤ１，ＬＤ２の内の一方のみを駆動した状態でカプラ２から分岐して出力されるレーザ光の強度に合わせて励起パワーを最適化されたファイバー型光アンプＥＤＦＡ１１ｂを縦列（直列）して備える。
そして、更に、２つのファイバー型光アンプＥＤＦＡ１１ａ，ＥＤＦＡ１１ｂの内で下流側に位置するファイバー型光アンプＥＤＦＡ１１ｂのみをバイパスして光信号を伝達するためのサブスルーファイバー１４−１をファイバー型光アンプＥＤＦＡ１１ｂと並列するかたちで備えると共に、２つのファイバー型光アンプＥＤＦＡ１１ａ，ＥＤＦＡ１１ｂを共にバイパスして光信号を伝達するためのメインスルーファイバー１４−２をファイバー型光アンプＥＤＦＡ１１ａ，ＥＤＦＡ１１ｂと並列するかたちで備えている。
【００３０】
光信号中継器１３は、更に、他方の光通信経路Ｐ２に沿って、同等の出力を有する励起用半導体レーザＬＤ１，ＬＤ２の内の一方のみを駆動した状態でカプラ２から分岐して出力されるレーザ光の強度に合わせて励起パワーを最適化されたファイバー型光アンプＥＤＦＡ１２ａと半導体レーザＬＤ１，ＬＤ２の内の一方のみを駆動した状態でカプラ２から分岐して出力されるレーザ光の強度に合わせて励起パワーを最適化されたファイバー型光アンプＥＤＦＡ１２ｂを縦列（直列）して備える。
そして、更に、２つのファイバー型光アンプＥＤＦＡ１２ａ，ＥＤＦＡ１２ｂの内で下流側に位置するファイバー型光アンプＥＤＦＡ１２ｂのみをバイパスして光信号を伝達するためのサブスルーファイバー１５−１をファイバー型光アンプＥＤＦＡ１２ｂと並列するかたちで備えると共に、２つのファイバー型光アンプＥＤＦＡ１２ａ，ＥＤＦＡ１２ｂを共にバイパスして光信号を伝達するためのメインスルーファイバー１５−２をファイバー型光アンプＥＤＦＡ１２ａ，ＥＤＦＡ１２ｂと並列するかたちで備えている。
【００３１】
ファイバー型光アンプＥＤＦＡ１１ａ，ＥＤＦＡ１１ｂ，ＥＤＦＡ１２ａ，ＥＤＦＡ１２ｂは、何れも、同等の出力を有する半導体レーザＬＤ１，ＬＤ２の内の一方のみを駆動した状態でカプラ２から分岐して出力されるレーザ光の強度に合わせて励起パワーを最適化されたものであるから、結果として、各ファイバー型光アンプの仕様は全て同等であり、また、光学的に直列に接続された状態にあるファイバー型光アンプＥＤＦＡ１１ａとファイバー型光アンプＥＤＦＡ１１ｂによって構成されるファイバー型光アンプ、および、光学的に直列に接続された状態にあるファイバー型光アンプＥＤＦＡ１２ａとファイバー型光アンプＥＤＦＡ１２ｂによって構成されるファイバー型光アンプは、何れも、励起用半導体レーザＬＤ１，ＬＤ２を同時に駆動した状態でカプラ２から分岐して出力されるレーザ光の強度に合わせて励起パワーを最適化されたファイバー型光アンプとなる。
【００３２】
サブスルーファイバー１４−１とメインスルーファイバー１４−２は光通信経路Ｐ１を形成する光ファイバーと同等の性能を有し、サブスルーファイバー１５−１とメインスルーファイバー１５−２は光通信経路Ｐ２を形成する光ファイバーと同等の性能を有する。
【００３３】
なお、光通信経路Ｐ１．Ｐ２上のアイソレータ３，４は偏光無依存型光アイソレータ、また、フィルタ５，６は帯域選択用のフィルタであり、この実施形態におけるファイバー型光アンプＥＤＦＡ１１ａ，ＥＤＦＡ１１ｂ，ＥＤＦＡ１２ａ，ＥＤＦＡ１２ｂは何れも希土類ドープ・ファイバー増幅器、例えば、erbium-doped optical fiber amplifierである。
【００３４】
光信号中継器１３の光スイッチ群は、１つの入力ポートおよび第一，第二の２つの出力ポートを備え、縦列した２つのファイバー型光アンプＥＤＦＡ１１ａ，ＥＤＦＡ１１ｂの内で上流側に位置するファイバー型光アンプＥＤＦＡ１１ａの出力側に入力ポートを接続されて第一の出力ポートを下流側に位置するファイバー型光アンプＥＤＦＡ１１ｂの入力側に接続され、かつ、下流側のファイバー型光アンプＥＤＦＡ１１ｂをバイパスするサブスルーファイバー１４−１の一端に第二の出力ポートを接続された第一の光分岐スイッチ１６ａと、１つの入力ポートおよび第一，第二の２つの出力ポートを備え、光信号中継器１３の介装位置を基準として上流側に位置する光通信経路Ｐ１の下流側端部に入力ポートを接続されて第一の出力ポートをファイバー型光アンプＥＤＦＡ１１ａの入力側に接続され、かつ、２つのファイバー型光アンプＥＤＦＡ１１ａ，ＥＤＦＡ１１ｂをバイパスするメインスルーファイバー１４−２の一端に第二の出力ポートを接続された第ニの光分岐スイッチ１６ｂと、光信号中継器１３の介装位置を基準として下流側に位置する光通信経路Ｐ１の上流側端部にファイバー型光アンプＥＤＦＡ１１ｂの出力側，サブスルーファイバー１４−１の他端，メインスルーファイバー１４−２の他端の内の何れかを選択的に接続する光スイッチ１６ｃ、並びに、１つの入力ポートおよび第一，第二の２つの出力ポートを備え、縦列した２つのファイバー型光アンプＥＤＦＡ１２ａ，ＥＤＦＡ１２ｂの内で上流側に位置するファイバー型光アンプＥＤＦＡ１２ａの出力側に入力ポートを接続されて第一の出力ポートを下流側に位置するファイバー型光アンプＥＤＦＡ１２ｂの入力側に接続され、かつ、下流側のファイバー型光アンプＥＤＦＡ１２ｂをバイパスするサブスルーファイバー１５−１の一端に第二の出力ポートを接続された第一の光分岐スイッチ１７ａと、１つの入力ポートおよび第一，第二の２つの出力ポートを備え、光信号中継器１３の介装位置を基準として上流側に位置する光通信経路Ｐ２の下流側端部に入力ポートを接続されて第一の出力ポートをファイバー型光アンプＥＤＦＡ１２ａの入力側に接続され、かつ、２つのファイバー型光アンプＥＤＦＡ１２ａ，ＥＤＦＡ１２ｂをバイパスするメインスルーファイバー１５−２の一端に第二の出力ポートを接続された第ニの光分岐スイッチ１７ｂと、光信号中継器１３の介装位置を基準として下流側に位置する光通信経路Ｐ２の上流側端部にファイバー型光アンプＥＤＦＡ１２ｂの出力側，サブスルーファイバー１５−１の他端，メインスルーファイバー１５−２の他端の内の何れかを選択的に接続する光スイッチ１７ｃによって構成される。
【００３５】
このうち、ファイバー型光アンプＥＤＦＡ１１ａとファイバー型光アンプＥＤＦＡ１１ｂを光学的に直列に接続して第一のファイバー型光アンプとして光通信経路Ｐ１に挿入したり、ファイバー型光アンプＥＤＦＡ１１ｂを第二のファイバー型光アンプとして光通信経路Ｐ１に挿入したり、メインスルーファイバー１４−２のみを光通信経路Ｐ１に挿入したりするために必要とされる光スイッチ群は第一の光分岐スイッチ１６ａ，第二の光分岐スイッチ１６ｂ，光スイッチ１６ｃによって構成され、また、ファイバー型光アンプＥＤＦＡ１２ａとファイバー型光アンプＥＤＦＡ１２ｂを光学的に直列に接続して第一のファイバー型光アンプとして光通信経路Ｐ２に挿入したり、ファイバー型光アンプＥＤＦＡ１２ｂを第二のファイバー型光アンプとして光通信経路Ｐ２に挿入したり、メインスルーファイバー１５−２のみを光通信経路Ｐ２に挿入したりするために必要とされる光スイッチ群は第一の光分岐スイッチ１７ａ，第二の光分岐スイッチ１７ｂ，光スイッチ１７ｃによって構成されている。
【００３６】
この実施形態における光信号中継器１３は、並列して配備された励起用半導体レーザＬＤ１，ＬＤ２を同時に駆動し、ファイバー型光アンプＥＤＦＡ１１ａとファイバー型光アンプＥＤＦＡ１１ｂを光学的に直列に接続して形成される第一のファイバー型光アンプと、ファイバー型光アンプＥＤＦＡ１２ａとファイバー型光アンプＥＤＦＡ１２ｂを光学的に直列に接続して形成される第一のファイバー型光アンプを励起することにより、光通信経路Ｐ１，Ｐ２を伝播する光信号の各々を増幅することを前提としたものである。
【００３７】
そして、故障検出回路８が励起用半導体レーザＬＤ１，ＬＤ２の何れの故障も検出しない状況下では、故障検出回路８から出力される正常動作信号を受けた図示しないスイッチング回路が第一の光分岐スイッチ１６ａ，第二の光分岐スイッチ１６ｂ，光スイッチ１６ｃ、および、第一の光分岐スイッチ１７ａ，第二の光分岐スイッチ１７ｂ，光スイッチ１７ｃを作動させ、第一，第ニの光分岐スイッチ１６ａ，１６ｂにおける第一の出力ポートを開き第ニの出力ポートを閉じることにより光信号中継器１３の介装位置を基準として上流側に位置する光通信経路Ｐ１の下流側端部にファイバー型光アンプＥＤＦＡ１１ａの入力側を接続すると共に、ファイバー型光アンプＥＤＦＡ１１ａとファイバー型光アンプＥＤＦＡ１１ｂを光学的に直列に接続して第一のファイバー型光アンプとして機能させ、併せて、光スイッチ１６ｃにより光信号中継器１３の介装位置を基準として下流側に位置する光通信経路Ｐ１の上流側端部にファイバー型光アンプＥＤＦＡ１１ｂの出力側を接続することにより、縦列された２つのファイバー型光アンプＥＤＦＡ１１ａ，ＥＤＦＡ１１ｂから形成されるファイバー型光アンプ、すなわち、励起用半導体レーザＬＤ１，ＬＤ２を同時に駆動した状態でカプラ２から分岐して出力されるレーザ光の強度に合わせて励起パワーを最適化された第一のファイバー型光アンプを光通信経路Ｐ１に挿入し、かつ、第一，第ニの光分岐スイッチ１７ａ，１７ｂにおける第一の出力ポートを開き第ニの出力ポートを閉じることにより光信号中継器１３の介装位置を基準として上流側に位置する光通信経路Ｐ２の下流側端部にファイバー型光アンプＥＤＦＡ１２ａの入力側を接続すると共に、ファイバー型光アンプＥＤＦＡ１２ａとファイバー型光アンプＥＤＦＡ１２ｂを光学的に直列に接続して第一のファイバー型光アンプとして機能させ、併せて、光スイッチ１７ｃにより光信号中継器１３の介装位置を基準として下流側に位置する光通信経路Ｐ２の上流側端部にファイバー型光アンプＥＤＦＡ１２ｂの出力側を接続することにより、縦列された２つのファイバー型光アンプＥＤＦＡ１２ａ，ＥＤＦＡ１２ｂから形成されるファイバー型光アンプ、すなわち、励起用半導体レーザＬＤ１，ＬＤ２を同時に駆動した状態でカプラ２から分岐して出力されるレーザ光の強度に合わせて励起パワーを最適化された第一のファイバー型光アンプを光通信経路Ｐ２に挿入する。
【００３８】
従って、励起用半導体レーザＬＤ１，ＬＤ２の何れの故障も検出されない状況下では、光通信経路Ｐ１，Ｐ２を伝播する光信号を、励起用半導体レーザＬＤ１，ＬＤ２を同時に駆動した状態でカプラ２から分岐して出力されるレーザ光の強度に合わせて励起パワーを最適化されたファイバー型光アンプ、つまり、ファイバー型光アンプＥＤＦＡ１１ａおよびファイバー型光アンプＥＤＦＡ１１ｂから形成される第一のファイバー型光アンプと、ファイバー型光アンプＥＤＦＡ１２ａおよびファイバー型光アンプＥＤＦＡ１２ｂから形成される第一のファイバー型光アンプの各々によって高い効率で増幅することができる。
【００３９】
故障検出回路８からの信号を受けて第一の光分岐スイッチ１６ａ，第二の光分岐スイッチ１６ｂ，光スイッチ１６ｃ、および、第一の光分岐スイッチ１７ａ，第二の光分岐スイッチ１７ｂ，光スイッチ１７ｃを作動させるスイッチング回路は、ゲート回路や論理回路あるいはマイクロプロセッサやパワートランジスタ等を利用して容易に設計製作することが可能である。
【００４０】
また、故障検出回路８が、同等の出力を有する励起用半導体レーザＬＤ１，ＬＤ２の何れか一方の故障を検出した状況下では、故障検出回路８から出力される部分故障信号を受けた図示しないスイッチング回路が第一の光分岐スイッチ１６ａ，第二の光分岐スイッチ１６ｂ，光スイッチ１６ｃ、および、第一の光分岐スイッチ１７ａ，第二の光分岐スイッチ１７ｂ，光スイッチ１７ｃを作動させ、第一の光分岐スイッチ１６ａにおける第一の出力ポートを閉じ第ニの出力ポートを開くと共に第二の光分岐スイッチ１６ｂにおける第一の出力ポートを開き第ニの出力ポートを閉じることにより、光信号中継器１３の介装位置を基準として上流側に位置する光通信経路Ｐ１の下流側端部にファイバー型光アンプＥＤＦＡ１１ａの入力側を接続し、ファイバー型光アンプＥＤＦＡ１１ａの出力側をサブスルーファイバー１４−１の一端に接続して、このファイバー型光アンプＥＤＦＡ１１ａを第二のファイバー型光アンプとして機能させ、併せて、光スイッチ１６ｃにより光信号中継器１３の介装位置を基準として下流側に位置する光通信経路Ｐ１の上流側端部にサブスルーファイバー１４−１の他端を接続することにより、第二のファイバー型光アンプとして機能するファイバー型光アンプＥＤＦＡ１１ａ、すなわち、励起用半導体レーザＬＤ１，ＬＤ２の内の一方のみを駆動した状態でカプラ２から分岐して出力されるレーザ光の強度に合わせて励起パワーを最適化された第二のファイバー型光アンプを光通信経路Ｐ１に挿入し、かつ、第一の光分岐スイッチ１７ａにおける第一の出力ポートを閉じ第ニの出力ポートを開くと共に第二の光分岐スイッチ１７ｂにおける第一の出力ポートを開き第ニの出力ポートを閉じることにより、光信号中継器１３の介装位置を基準として上流側に位置する光通信経路Ｐ２の下流側端部にファイバー型光アンプＥＤＦＡ１２ａの入力側を接続し、ファイバー型光アンプＥＤＦＡ１２ａの出力側をサブスルーファイバー１５−１の一端に接続して、このファイバー型光アンプＥＤＦＡ１２ａを第二のファイバー型光アンプとして機能させ、併せて、光スイッチ１７ｃにより光信号中継器１３の介装位置を基準として下流側に位置する光通信経路Ｐ２の上流側端部にサブスルーファイバー１５−１の他端を接続することにより、第二のファイバー型光アンプとして機能するファイバー型光アンプＥＤＦＡ１２ａ、すなわち、励起用半導体レーザＬＤ１，ＬＤ２の内の一方のみを駆動した状態でカプラ２から分岐して出力されるレーザ光の強度に合わせて励起パワーを最適化された第二のファイバー型光アンプを光通信経路Ｐ２に挿入する。
【００４１】
従って、励起用半導体レーザＬＤ１，ＬＤ２の何れか一方の故障のみが検出された状況下では、光通信経路Ｐ１，Ｐ２を伝播する光信号を、励起用半導体レーザＬＤ１，ＬＤ２の内の一方のみを駆動した状態でカプラ２から分岐して出力されるレーザ光の強度に合わせて励起パワーを最適化されたファイバー型光アンプＥＤＦＡ１１ａとファイバー型光アンプＥＤＦＡ１２ａ、つまり、第ニのファイバー型光アンプとして機能するファイバー型光アンプＥＤＦＡ１１ａと第ニのファイバー型光アンプとして機能するファイバー型光アンプＥＤＦＡ１２ａの各々によって効率よく増幅することができる。
【００４２】
また、故障検出回路８が、同等の出力を有する励起用半導体レーザＬＤ１，ＬＤ２の双方の故障を検出した状況下では、故障検出回路８から出力される完全故障信号を受けた図示しないスイッチング回路が第二の光分岐スイッチ１６ｂ，光スイッチ１６ｃ、および、第二の光分岐スイッチ１７ｂ，光スイッチ１７ｃを作動させ、第ニの光分岐スイッチ１６ｂにおける第一の出力ポートを閉じて第ニの出力ポートを開くことにより、光信号中継器１３の介装位置を基準として上流側に位置する光通信経路Ｐ１の下流側端部にメインスルーファイバー１４−２の一端を接続し、光スイッチ１６ｃにより光信号中継器１３の介装位置を基準として下流側に位置する光通信経路Ｐ１の上流側端部にメインスルーファイバー１４−２の他端を接続することにより、メインスルーファイバー１４−２のみを光通信経路Ｐ１に挿入し、かつ、第ニの光分岐スイッチ１７ｂにおける第一の出力ポートを閉じて第ニの出力ポートを開くことにより、光信号中継器１３の介装位置を基準として上流側に位置する光通信経路Ｐ２の下流側端部にメインスルーファイバー１５−２の一端を接続し、光スイッチ１７ｃにより光信号中継器１３の介装位置を基準として下流側に位置する光通信経路Ｐ２の上流側端部にメインスルーファイバー１５−２の他端を接続することにより、メインスルーファイバー１５−２のみを光通信経路Ｐ２に挿入する。
【００４３】
従って、励起用半導体レーザＬＤ１，ＬＤ２の双方の故障が検出された状況下では、励起用半導体レーザＬＤ１，ＬＤ２の故障のために光信号を増幅する機能を失った全てのファイバー型光アンプＥＤＦＡ１１ａ，ＥＤＦＡ１１ｂ，ＥＤＦＡ１２ａ，ＥＤＦＡ１２ｂをバイパスし、光通信経路Ｐ１，Ｐ２を形成する光ファイバーと同等の性能すなわち光信号の減衰や損失を発生させ難い性能を有するメインスルーファイバー１４−２，１５−２を介して光通信経路Ｐ１，Ｐ２の下流側に光信号を伝播することができる。
よって、光信号を増幅する機能を失ったファイバー型光アンプＥＤＦＡ１１ａ，ＥＤＦＡ１１ｂ，ＥＤＦＡ１２ａ，ＥＤＦＡ１２ｂが光通信経路Ｐ１，Ｐ２を伝播する光信号を減衰させることはなく、この光信号中継器１３よりも下流側の他の光信号中継器に其のまま光信号を引き渡すことが可能となる。
【００４４】
特に、この実施形態においては、励起用半導体レーザＬＤ１，ＬＤ２が共に正常に作動している状況下にあっては、ファイバー型光アンプＥＤＦＡ１１ａとファイバー型光アンプＥＤＦＡ１１ｂとを光学的に直列に接続して光通信経路Ｐ１の光信号を増幅する第一のファイバー型光アンプとして機能させると共にファイバー型光アンプＥＤＦＡ１２ａとファイバー型光アンプＥＤＦＡ１２ｂとを光学的に直列に接続して光通信経路Ｐ２の光信号を増幅する第一のファイバー型光アンプとして機能させ、また、励起用半導体レーザＬＤ１，ＬＤ２の何れかが故障した状況下では、光通信経路Ｐ１の光信号を増幅する第一のファイバー型光アンプの一部でもあるファイバー型光アンプＥＤＦＡ１１ａを単独で光通信経路Ｐ１の光信号を増幅する第二のファイバー型光アンプとして機能させると共に光通信経路Ｐ２の光信号を増幅する第一のファイバー型光アンプの一部でもあるファイバー型光アンプＥＤＦＡ１２ａを単独で光通信経路Ｐ２の光信号を増幅する第二のファイバー型光アンプとして機能させるようにしている。
この結果、段落００３２でも述べた通り、同等の規格すなわち半導体レーザＬＤ１，ＬＤ２の内の一方のみを駆動した状態でカプラ２から分岐して出力されるレーザ光の強度に合わせて励起パワーを最適化された４つのファイバー型光アンプをファイバー型光アンプＥＤＦＡ１１ａ，ファイバー型光アンプＥＤＦＡ１１ｂ，ファイバー型光アンプＥＤＦＡ１２ａ，ファイバー型光アンプＥＤＦＡ１２ｂとして利用することができるようになり、異なる仕様を有する第一のファイバー型光アンプと第ニのファイバー型光アンプを独立的に配置する場合に比べ、光信号中継器１３の組み立てに必要とされる部品の種類を減らすことができ、製造コストの削減が容易となるメリットが生じる。
【００４５】
そして、何れの実施形態を利用した場合であっても、励起用半導体レーザＬＤ１，ＬＤ２が共に正常に作動している状況下にあっては、励起用半導体レーザＬＤ１，ＬＤ２を同時に駆動した状態でカプラ２から分岐して出力されるレーザ光の強度に合わせて励起パワーを最適化された第一のファイバー型光アンプの各々が光通信経路Ｐ１，Ｐ２に挿入されることになるので、光通信経路Ｐ１，Ｐ２を伝播する光信号を当初の設計通りの高い効率で増幅することができ、また、励起用半導体レーザＬＤ１，ＬＤ２の何れか一方が故障した状況下では、励起用半導体レーザＬＤ１，ＬＤ２の内の一方のみを駆動した状態でカプラ２から分岐して出力されるレーザ光の強度に合わせて励起パワーを最適化された第ニのファイバー型光アンプの各々が光通信経路Ｐ１，Ｐ２に挿入されることになるので、光通信経路Ｐ１，Ｐ２を伝播する光信号を、当初の設計に沿った効率には及ばないものの、その時点でカプラ２から分岐して出力されているレーザ光の強度に見合った効率で、効率よく増幅することができる。
特に、励起用半導体レーザＬＤ１，ＬＤ２の何れか一方が故障した状況下にあっては、励起用半導体レーザＬＤ１，ＬＤ２を同時に駆動した状態でカプラ２から分岐して出力されるレーザ光の強度に合わせて励起パワーを最適化された第一のファイバー型光アンプが、著しく不十分な励起光、つまり、励起用半導体レーザＬＤ１，ＬＤ２の内の一方のみを駆動した状態でカプラ２から分岐して出力されるレーザ光（適正値に対して約１／２のパワー）によって励起されたり、この第一のファイバー型光アンプが光通信経路Ｐ１，Ｐ２の光信号を増幅するファイバー型光アンプとして其のまま使用され続けたりするといった不都合が完全に解消され、励起用半導体レーザＬＤ１，ＬＤ２の内の一方のみを駆動した状態でカプラ２から分岐して出力されるレーザ光の強度に合わせて励起パワーを最適化された第ニのファイバー型光アンプが光通信経路Ｐ１，Ｐ２の光信号を増幅するようになるので、励起状態のずれに伴う効率の悪化が改善され、光通信経路Ｐ１，Ｐ２を伝播する光信号を適切に増幅することができるようになる。
更に、励起用半導体レーザＬＤ１，ＬＤ２の双方が故障した状況下では、光通信経路Ｐ１，Ｐ２を形成する光ファイバーと同等の性能すなわち光信号の減衰や損失を発生させ難い性能を有するメインスルーファイバーの各々が光通信経路Ｐ１，Ｐ２に挿入されることになるので、励起用半導体レーザＬＤ１，ＬＤ２の故障のために光信号を増幅する機能を失った全てのファイバー型光アンプをバイパスし、これらのメインスルーファイバーを介して光通信経路Ｐ１，Ｐ２の下流側に光信号を其のまま伝播することができる。
特に、励起光が入力されないファイバー型光アンプは、光通信経路を伝播する光信号に対して伝播損失が非常に大きいため（例えば１０数ｄＢの減衰）、これらのファイバー型光アンプが光通信経路の一部として機能し続けると完全に通信が途絶えてしまうといった不都合が生じるが、光通信経路Ｐ１，Ｐ２を形成する光ファイバーと同等の性能すなわち光信号の減衰や損失を発生させ難い性能を有するメインスルーファイバーの各々を光通信経路Ｐ１，Ｐ２に挿入することにより、光信号を増幅する機能を失った全てのファイバー型光アンプをバイパスして下流側に光信号を伝播させるようにしているので、通信の断絶を確実に防止できる。
【００４６】
以上に開示した例は代表的な実施形態であり、発明を実施するための形態や発明の技術思想は、これらのものに制限されるものではない。
【産業上の利用可能性】
【００４７】
本発明は、光通信に用いられる光海底中継器を始めとする各種の光信号中継器に利用することができる。
【符号の説明】
【００４８】
１  ダイオード制御回路
２  カプラ
３，４  アイソレータ
５，６  フィルタ
７  光信号中継器
８  故障検出回路（検出器）
９−３  メインスルーファイバー
１０−３  メインスルーファイバー
１１ａ  第一の光スイッチ（光スイッチ群の一部）
１１ｂ  第二の光スイッチ（光スイッチ群の一部）
１２ａ  第一の光スイッチ（光スイッチ群の一部）
１２ｂ  第二の光スイッチ（光スイッチ群の一部）
１３  光信号中継器
１４−１  サブスルーファイバー
１４−２  メインスルーファイバー
１５−１  サブスルーファイバー
１５−２  メインスルーファイバー
１６ａ  第一の光分岐スイッチ
１６ｂ  第二の光分岐スイッチ
１６ｃ  光スイッチ
１７ａ  第一の光分岐スイッチ
１７ｂ  第二の光分岐スイッチ
１７ｃ  光スイッチ
Ｐ１  光通信経路
Ｐ２  光通信経路
ＬＤ１  励起用半導体レーザ
ＬＤ２  励起用半導体レーザ
ＥＤＦＡ１  ファイバー型光アンプ
ＥＤＦＡ２  ファイバー型光アンプ
ＥＤＦＡ９−１  第一のファイバー型光アンプ
ＥＤＦＡ９−２  第二のファイバー型光アンプ
ＥＤＦＡ１０−１  第一のファイバー型光アンプ
ＥＤＦＡ１０−２  第二のファイバー型光アンプ
ＥＤＦＡ１１ａ  ファイバー型光アンプ
ＥＤＦＡ１１ｂ  ファイバー型光アンプ
ＥＤＦＡ１２ａ  ファイバー型光アンプ
ＥＤＦＡ１２ｂ  ファイバー型光アンプ
【図１】
2014160908.tif 000003
【図２】
2014160908.tif 000004
【図３】
2014160908.tif 000005